(57)【要約】【課題】デマンドを抑えつつ、利用者の要望にもある程度応えて、なるべく快適性を損なわない空調運転を可能にする。【解決手段】コントローラ１００は、複数の空調機２００を制御し、特定時間帯受付部１１３と、制御指示検出部１１２と、空調制御部１１１とを備えている。空調制御部１１１は、制御指示検出部１１２が制御指示を検出した場合に通常制御と修正制御とのいずれかを、制御指示の対象である対象空調機２００に対して行う。通常制御は、制御指示に従った制御である。修正制御は、制御指示とは異なる制御である。空調制御部１１１は、制御指示検出部１１２が制御指示を検出したときに、現在の時刻が特定の時間帯である特定時間帯内であれば対象空調機２００に対して通常制御又は修正制御のいずれかを行い、現在の時刻が特定時間帯内でなければ対象空調機２００に対して前記通常制御を行う。【選択図】図６
2011257067.tif 000002
【特許請求の範囲】
【請求項１】
複数の空調機（２００）を制御する空調制御装置（１００）であって、
特定時間帯の入力を受け付ける特定時間帯受付部（１１３）と、
前記複数の空調機（２００）それぞれに対する制御についての指示である制御指示を検出する制御指示検出部（１１２）と、
前記制御指示検出部（１１２）が前記制御指示を検出した場合、前記制御指示に従った制御である通常制御と、前記制御指示とは異なる制御である修正制御と、のいずれかを、前記複数の空調機（２００）のうちの前記制御指示の対象である対象空調機（２００）に対して行う空調制御部（１１１）と、
を備え、
前記空調制御部（１１１）は、前記制御指示検出部（１１２）が前記制御指示を検出したときに、現在の時刻が前記特定時間帯内であれば前記対象空調機に対して前記通常制御又は前記修正制御のいずれかを行い、現在の時刻が前記特定時間帯内でなければ前記対象空調機（２００）に対して前記通常制御を行う、
空調制御装置（１００）。
【請求項２】
前記制御指示は、前記対象空調機（２００）の起動、停止、運転の種類の切り替え、あるいは、設定温度の変更であり、
前記修正制御は、
前記制御指示に従った制御を前記対象空調機（２００）に一旦実行させた後、前記制御指示が検出される前に前記対象空調機（２００）に対して行われていた制御に戻す第１修正制御、
前記制御指示が検出されてから所定の時間である第１時間（Ｐ１）経過後、前記制御指示に従った制御を前記対象空調機（２００）に対して行う第２修正制御、
あるいは、
前記第１修正制御および前記第２修正制御を組み合わせた第３修正制御、
である、
請求項１に記載の空調制御装置（１００）。
【請求項３】
前記第１時間（Ｐ１）の入力を受け付ける第１時間受付部（１１４）と、
前記複数の空調機（２００）それぞれについて前記第１時間（Ｐ１）を記憶する第1記憶部（１２１）と、
をさらに備える、
請求項２に記載の空調制御装置（１００）。
【請求項４】
前記空調制御部（１１１）は、
前記制御指示がエネルギーの消費が増える増エネ制御の実行の指示でない場合に、前記対象空調機（２００）に対して前記通常制御を行い、
前記制御指示が前記増エネ制御の実行の指示である場合であり、かつ、現在の時刻が前記特定時間帯内である場合に、前記対象空調機（２００）に対して前記修正制御を行う、
請求項１から３のいずれかに記載の空調制御装置（１００）。
【請求項５】
前記増エネ制御は、
前記対象空調機（２００）を起動する制御、
前記対象空調機（２００）が冷房運転の時に前記対象空調機（２００）の設定温度を下げる制御、
あるいは、
前記対象空調機（２００）が暖房運転の時に前記対象空調機（２００）の設定温度を上げる制御である、
請求項４に記載の空調制御装置（１００）。
【発明の詳細な説明】
【技術分野】
【０００１】
本発明は、複数の空調機を制御する空調制御装置に関する。
【背景技術】
【０００２】
空調機等の電気で稼働する機器は、昼間に使用されることが多い。したがって、需要電力（デマンド）は昼間に集中しがちである。このため、電力会社は、昼間に大きくなりがちな最大需要電力を抑える工夫をしている。例えば、昼間の需要電力を所定の目標値内に抑制した契約者には、電力使用料金の割引をしている。そこで、エネルギー使用量が目標エネルギー量を超過しそうになった場合に空調機の空調能力供給を電力会社との省エネルギー契約に従って制限する省エネルギー手段を備えた空調機の制御システムが提案されている（特許文献１  特開２００４−１１６９７２号公報参照）。
【発明の概要】
【発明が解決しようとする課題】
【０００３】
しかし、省エネルギー制御を行うと環境が不快になる恐れがある。特に、顧客が来訪する店舗では、デマンドを抑えることを最優先させると顧客に不快な思いをさせることになり好ましくない。デマンドを抑えつつもある程度店舗内の顧客の要望に合わせた空調機の制御を可能にすることも必要である。また、空調機を時間差運転すれば省エネルギーになると言われているが、時間差運転となるように複数の空調機について個別にスケジュールを組むのも面倒である。
【０００４】
本発明の課題は、空調運転によるデマンドを抑えつつ、空調対象空間内にいる人の要望にもある程度応えて、なるべく快適性を損なわない空調運転を可能にする複数の空調機の制御を行う空調制御装置を提供することにある。
【課題を解決するための手段】
【０００５】
本発明の第１観点に係る空調制御装置は、複数の空調機を制御する空調制御装置であって、特定時間帯受付部と、制御指示検出部と、空調制御部とを備えている。制御指示検出部は、複数の空調機それぞれに対する制御についての指示である制御指示を検出する。空調制御部は、制御指示検出部が制御指示を検出した場合に通常制御と修正制御とのいずれかを、制御指示の対象である対象空調機に対して行う。通常制御は、制御指示に従った制御である。修正制御は、制御指示とは異なる制御である。空調制御部は、制御指示検出部が制御指示を検出したときに、現在の時刻が特定の時間帯である特定時間帯内であれば対象空調機に対して通常制御又は修正制御のいずれかを行い、現在の時刻が特定時間帯内でなければ対象空調機に対して前記通常制御を行う。特定時間帯受付部は、特定時間帯の入力を受け付ける。
【０００６】
特定時間帯内においては、通常制御のほか、制御指示とは異なる制御である修正制御を行うことができる。したがって、デマンドが集中しやすい時間帯を特定時間帯として設定しておけば、この特定時間帯に利用者から空調機に対する制御指示があっても制御指示どおりの制御は行わず、修正をかけて制御指示とは異なる制御を行うことができる。これにより、デマンドを抑えることが可能であるとともに、快適性をなるべく損なわないようにすることが可能になる。
【０００７】
本発明の第２観点に係る空調制御装置は、第１観点に係る空調制御装置であって、制御指示は、対象空調機の起動、停止、運転の種類の切り替え、あるいは、設定温度の変更である。修正制御は、第１修正制御、第２修正制御、あるいは、第３修正制御である。第１修正制御は、制御指示に従った制御を対象空調機に一旦実行させた後、制御指示が検出される前に対象空調機に対して行われていた元の制御に戻す制御である。第２修正制御は、制御指示が検出されてから所定の時間である第１時間経過後、制御指示に従った制御を対象空調機に対して行う制御である。第３修正制御は、第１修正制御および第２修正制御を組み合わせた制御である。第１修正制御または第３修正制御において、一旦制御指示に従った制御を実行後、空調機の制御を元の制御に戻す時機は、例えば、所定の時間の経過、あるいは、その他の所定の条件が成就した時、などとすることができる。
【０００８】
修正制御は、制御指示を検出してから一旦制御指示に従った空調機の制御を実行するが、その後元の制御に戻す第１修正制御、制御指示を検出してから所定の時間が経ってから制御指示どおりの空調機の制御を行う第２修正制御、あるいは、第１修正制御と第２修正制御を組み合わせた第３修正制御である。すなわち、とりあえず一旦は利用者の要望どおりの空調運転を行うことや、複数の空調機の運転を時間をずらして行うことが可能である。これにより、デマンドの集中を防ぎつつ、利用者の要望を制御に反映して快適性をなるべく損なわないようにすることが可能になる。
【０００９】
本発明の第３観点に係る空調制御装置は、第２観点に係る空調制御装置であって、第１時間受付部と、第１記憶部とをさらに備えている。第１時間受付部は、第１時間の入力を受け付ける。第１記憶部は、複数の空調機それぞれについて第１時間を記憶する。
【００１０】
すなわち、利用者からの制御指示を検出したときに、所定の時間が経ってから、制御指示に従った空調機の制御を開始する修正制御を行う場合、制御指示を検出してから制御指示に従った空調機の制御を開始するまでの時間は、空調機それぞれによって異なるようにすることが可能である。これにより、複数の空調機の運転を時間をずらして行うことが可能なほか、空調機の設置場所や使用方法に応じて制御を調節することができ、快適性をなるべく損なわないようにすることが可能になる。
【００１１】
本発明の第４観点に係る空調制御装置は、第１観点から第３観点のいずれかに係る空調制御装置であって、空調制御部は、制御指示が増エネ制御の実行の指示でない場合に、対象空調機に対して通常制御を行う。空調制御部は、制御指示が増エネ制御の実行の指示である場合であり、かつ、現在の時刻が特定時間帯内である場合に、対象空調機に対して修正制御を行う。増エネ制御とは、エネルギーの消費が増える制御である。
【００１２】
利用者からの制御指示が増エネ制御を指示するものでない場合は、常にその制御指示どおりの制御を行い、特定時間帯に増エネ制御を指示する制御指示が検出されたときのみ修正制御を行う。これにより、デマンドが集中しやすい時間帯にデマンドを抑えることが可能になるとともに、デマンドが増加する心配がない場合は、利用者の要望どおりの制御を行い、快適性をなるべく損なわないようにすることが可能になる。
【００１３】
本発明の第５観点に係る空調制御装置は、第４観点に係る空調制御装置であって、増エネ制御は、対象空調機を起動する制御、対象空調機が冷房運転の時に対象空調機の設定温度を下げる制御、あるいは、対象空調機が暖房運転の時に対象空調機の設定温度を上げる制御である。
【００１４】
すなわち、上で挙げたような消費エネルギーを増加させるような制御を増エネ制御とし、特定時間帯においてはこれらの制御を指示する制御指示を検出しても当該指示にそのまま従わず、修正制御を行う。これにより、デマンドが集中しやすい時間帯にデマンドを抑えることが可能になるとともに、デマンドが増加する心配がない場合は、利用者の要望どおりの制御を行い、快適性をなるべく損なわないようにすることが可能になる。
【発明の効果】
【００１５】
本発明の第１観点に係る空調制御装置では、デマンドを抑えることが可能であるとともに、快適性をなるべく損なわないようにすることが可能になる。
【００１６】
本発明の第２観点に係る空調制御装置では、デマンドの集中を防ぎつつ、利用者の要望を制御に反映して快適性をなるべく損なわないようにすることが可能になる。
【００１７】
本発明の第３観点に係る空調制御装置では、複数の空調機の運転を時間をずらして行うことが可能なほか、空調機の設置場所や使用方法に応じて制御を調節することができ、快適性をなるべく損なわないようにすることが可能になる。
【００１８】
本発明の第４観点および第５観点に係る空調制御装置では、デマンドが集中しやすい時間帯にデマンドを抑えることが可能になるとともに、デマンドが増加する心配がない場合は、利用者の要望どおりの制御を行い、快適性をなるべく損なわないようにすることが可能になる。
【図面の簡単な説明】
【００１９】
【図１】本発明の実施形態に係る空調制御システムの概略ブロック図。
【図２】本発明の実施形態に係る空調制御装置が制御する空調機の概略冷媒回路図。
【図３】本発明の実施形態に係る空調制御装置の制御ブロック図。
【図４】本発明の実施形態に係る増エネ制御を示す表。
【図５】本発明の実施形態に係る空調制御装置が空調機に対して行う制御と諸条件との関係を示す表。
【図６】本発明の実施形態に係る第１修正制御を示す図。
【図７】本発明の実施形態に係る第２修正制御を示す図。
【図８】本発明の実施形態に係る第３修正制御を示す図。
【図９】本発明の実施形態に係る空調制御装置の制御の流れを示すフローチャート。
【図１０】本発明の実施形態に係る空調制御装置の第１記憶部および第２記憶部に記憶されている情報の例を示す表。
【図１１】本発明の実施形態の変形例に係る空調制御装置が制御する空調機の概略冷媒回路図。
【図１２】本発明の実施形態の変形例に係る空調制御システムの概略ブロック図。
【発明を実施するための形態】
【００２０】
本発明の実施形態を以下に説明する。なお、本発明は、本実施形態に限られるものではない。
【００２１】
（１）全体構成
本実施形態においては、本発明にかかる空調制御装置は、図１に示されているとおり、複数の空調機２００に通信線３００を介して接続され、これら複数の空調機２００を制御するコントローラ１００である。各空調機２００は、図１に示されているリモコン４００、あるいは、図示されていない壁掛け型操作パネルにより個別に操作可能である。利用者により該リモコン４００等により入力された制御指示にかかる信号は、空調機２００から通信線３００を介してコントローラ１００に送られる。
【００２２】
（２）空調機の構成
次に、図２を使って本実施形態にかかる空調機２００の構成を説明する。空調機２００は、室内機２０１ａと、室外機２１０とから構成されており、冷房運転および暖房運転等を含む空気調和運転を行うことができる。室内機２０１ａは、空調対象空間３０１内に設置される。室内機２０１ａ内には、室内熱交換器２０４ａおよび室内ファン２０５ａ等が収容されている。室内熱交換器２０４ａは、接触する空気との間で熱交換を行い、調和空気を生成する。また、室内熱交換器２０４ａは、冷房運転時には、冷媒の蒸発器として機能してケーシング内に取り込まれた空気を冷却し、暖房運転時には、冷媒の凝縮器として機能してケーシング内に取り込まれた空気を加熱する。室内ファン２０５ａは、空調対象空間内の空気を吸い込んで熱交換器に通し、熱交換が行われた後の調和空気を空調対象空間内に排出する。また、室内機２０１ａには、室内機制御部２６１ａ，が内蔵されている。室内機制御部２６１ａは、室内機２０１ａ内の室内熱交換器２０４ａおよび室内ファン２０５ａ等の各種機器を制御する。
【００２３】
また、室外機２１０には、室外機制御部２６２が内蔵されている。室外機制御部２６２は、室外機２１０に収容されている圧縮機２１９、室外ファン２１７、四路切換弁２１８および室外膨張弁２１２等の各種機器の制御を行う。
【００２４】
（３）空調制御装置の構成
次に、図３を使って本発明にかかる空調制御装置の構成を説明する。本実施形態における本発明にかかる空調制御装置であるコントローラ１００は、制御部１１０、記憶部１２０、通信部１３０、および、タイマー１４０から構成されている。制御部１１０は、コントローラ１００の各構成部を制御する。記憶部１２０には、コントローラ１００を制御するためのプログラム、当該プログラムが使用するデータ、および、その他の情報が記憶されている。通信部１３０は、空調機２００との間で通信線３００を介して各種情報を送受信する。タイマー１４０は、時計の機能を有しており、現在時刻、および、ある時点からの経過時間の情報を提供する。
【００２５】
制御部１１０は、ＣＰＵにより構成されており、記憶部１２０は、ＲＡＭおよびＲＯＭにより構成されている。制御部１１０は、空調制御部１１１、制御指示検出部１１２、特定時間帯受付部１１３、第１時間受付部１１４、および、第２時間受付部１１５を有している。記憶部１２０は、第１記憶部１２１、第２記憶部１２２、および、第３記憶部１２３を有している。
【００２６】
記憶部１２０に記憶されているコントローラ１００の制御用のプログラムは、制御部１１０により実行される。当該プログラムが、制御部１１０により実行されることにより空調制御部１１１、制御指示検出部１１２、特定時間帯受付部１１３、第１時間受付部１１４、および、第２時間受付部１１５は、制御部１１０においてその機能を果たすようになる。
【００２７】
空調制御部１１１は、空調機２００に対する制御指示を生成し、通信部１３０に当該制御指示を空調機２００へ送信させる。制御指示検出部１１２は、利用者が、リモコン４００等の操作手段を用いて、空調機２００に対して送った制御指示を検出する。
【００２８】
特定時間帯受付部１１３は、デマンドのピーク時等、利用者にとってデマンドが急上昇するのを抑えたい時間帯である特定時間帯の入力、具体的には、当該時間帯の開始時刻および終了時刻の入力、を受け付ける。すなわち、リモコン４００等を介して入力された開始時刻および終了時刻を空調機２００から受信すると、コントローラ１００の通信部１３０は、特定時間帯受付部１１３に信号を送り、知らせる。特定時間帯受付部１１３は、当該開始時刻および終了時刻を第３記憶部１２３に記憶させる。なお、特定時間帯は、所定の条件に応じて後述する修正制御が実行される時間帯である。
【００２９】
第１時間受付部１１４は、第１時間Ｐ１の入力を受け付ける。具体的には、リモコン４００等を介して入力された第１時間Ｐ１を空調機２００から受信すると、コントローラ１００の通信部１３０は、第１時間受付部１１４に信号を送り、知らせる。第１時間受付部１１４は、当該第１時間Ｐ１を第１記憶部１２１に記憶させる。なお、第１時間Ｐ１とは、後述する修正制御において、制御指示を検出してから実際に当該指示どおりの制御を開始するまでの時間である。
【００３０】
第２時間受付部１１５は、第２時間Ｐ２の入力を受け付ける。具体的には、リモコン４００等を介して入力された第２時間Ｐ２を空調機２００から受信すると、コントローラ１００の通信部１３０は、第２時間受付部１１５に信号を送り、知らせる。第２時間受付部１１５は、当該第２時間Ｐ２を第２記憶部１２２に記憶させる。なお、第２時間Ｐ２とは、後述する修正制御において、一旦制御指示どおりの制御を空調機２００が実行した後、当該制御指示を検出してから元の制御に戻すまでの時間である。
【００３１】
第１記憶部１２１は、複数の空調機２００それぞれについて第１時間Ｐ１を記憶する。第２記憶部１２２は、複数の空調機２００それぞれについて第２時間Ｐ２を記憶する。したがって、利用者は、複数の空調機２００それぞれについて第１時間Ｐ１および第２時間Ｐ２を設定することが可能である。
【００３２】
第３記憶部１２３は、複数の空調機２００それぞれについて特定時間帯（当該時間帯の開始時刻および終了時刻）を記憶する。したがって、利用者は、複数の空調機２００それぞれについて特定時間帯を設定することができる。
【００３３】
（４）空調制御装置の動作
（４−１）概要
利用者が、リモコン４００等の操作手段を用いて、空調機２００の起動および停止、冷暖房等の運転モードの切り替え、あるいは、設定温度の変更、等の制御指示を複数ある空調機２００のうちのいずれかに送ると、当該制御指示は、コントローラ１００の制御指示検出部１１２により検出される。制御指示検出部１１２が、利用者からの制御指示を検出すると、空調制御部１１１は、現在時刻が特定時間帯内でなければ、制御指示どおりの制御である通常制御を空調機２００に実行させる。現在時刻が特定時間帯内であれば、当該制御指示がエネルギーの消費を増加する制御である増エネ制御に係る指示か否かが判断される。制御指示が増エネ制御の指示であれば、空調制御部１１１は、制御指示どおりの制御を空調機２００に実行させず、制御指示どおりの制御に修正をかけた後述する修正制御を空調機２００に実行させる。すなわち、図５に示すとおり、現在時刻が特定時間帯内であり、かつ、制御指示が増エネ制御である場合に修正制御を行う。
【００３４】
なお、増エネ制御とは、例えば図４に示すような制御である。すなわち、空調機２００が停止しているときに空調機２００を起動する制御、空調機２００が冷房運転時に設定温度を下げる制御、あるいは、空調機２００が暖房運転時に設定温度を上げる制御等である。増エネ制御と分類される制御は、ドライ運転時に設定温度を下げる制御等、空調機２００の有する機能に応じてほかにもいろいろある。
【００３５】
（４−２）修正制御
修正制御は、本実施形態においては、一旦制御指示どおりの制御を実行させた後に元の制御に戻す制御（以下、第１修正制御とする）、制御指示を検出してから所定の時間（第１時間Ｐ１）が経ってから当該制御指示どおりの制御を開始する制御（以下、第２修正制御とする）、あるいは、この２つの制御を組み合わせた制御（以下、第３修正制御とする）である。修正制御として、これら３つの制御のうちどの制御が行われるかは、予め決められた制御に固定してもよいし、利用者が選択できるようにしてもよい。以下に、これら３つの制御について具体的に説明する。
【００３６】
（４−２−１）第１修正制御
第１修正制御について図６を用いて説明する。第１修正制御では、空調機２００は、利用者からリモコン４００等を介して制御指示の入力を受け付けると当該制御指示どおりの制御を実行する。コントローラ１００の制御指示検出部１１２が、当該制御指示を検出すると、空調制御部１１１は、それから第２時間Ｐ２経過するまで、空調機２００にそのまま当該制御指示どおりの制御を継続させる。その後、空調制御部１１１は、空調機２００に制御を当該制御指示に従って変更する前の制御に戻させる。これが、第１修正制御である。
【００３７】
具体的には、空調機２００は、利用者からの制御指示を受け付けると当該制御指示どおりの制御を実行する。例えば、図６の例では、設定温度を下げる制御指示を受け付けたので設定温度が下げられる。コントローラ１００の制御指示検出部１１２は、定期的に（例えば、１分おきに）、複数ある各空調機２００に制御状態についての情報を送るように要求する信号を通信部１３０を介して送信する。当該信号を受信した各空調機２００は、コントローラ１００に制御状態についての情報を送信する。当該情報がコントローラ１００の通信部１３０により受信されると、通信部１３０から制御指示検出部１１２に信号が送られる。各空調機２００の制御状態は、コントローラ１００の記憶部１２０に記憶されている。制御指示検出部１１２は、受信された制御状態が記憶部に１２０に記憶されている前回の受信時の制御状態と異なる空調機２００がないか探す。もし、そのような空調機２００があれば、当該空調機２００から今回受信した制御状態は、利用者からの新たな制御指示として検出される。当該空調機２００は、当該制御指示の対象空調機２００として認識される。記憶部１２０に記憶されている対象空調機２００の制御状態は、元の制御状態として記憶部１２０において別途記憶される。そして、記憶部１２０に記憶されている対象空調機２００の制御状態は、今回受信された制御状態に上書き更新される。制御指示検出部１１２により制御指示が上述のとおり検出されると、タイマー１４０がセットされ、時計が開始される。タイマー１４０の時計が第２時間Ｐ２に達すると、空調制御部１１１は、対象空調機２００の制御を元の状態に戻す制御指示を生成し、対象空調機２００に通信部１３０を介して送信する。当該制御指示を受信した対象空調機２００は、当該制御指示に従って制御を元に戻す。したがって、図６に示す通り、対象空調機２００の設定温度は、元の温度に上げられ戻される。
【００３８】
第２記憶部１２２は、複数の空調機２００それぞれについて第２時間Ｐ２を記憶するから、第２時間Ｐ２が空調機２００それぞれについて異なるようにすることができる。第１修正制御では、例えば、真夏の昼間のような時間帯に、このように一旦は設定温度を下げて利用者の不快感を和らげつつ、しばらくしてから設定温度を上げてデマンドの上昇を抑えることができる。
【００３９】
（４−２−２）第２修正制御
第２修正制御について図７を用いて説明する。第２修正制御では、空調機２００は、利用者からリモコン４００等を介して制御指示の入力を受け付けると当該制御指示どおりの制御を直ちに実行しない。コントローラ１００の制御指示検出部１１２が、当該制御指示を検出すると、空調制御部１１１は、それから第１時間Ｐ１経過するまで、空調機２００に現在実行中の制御をそのまま継続させる。その後、空調制御部１１１は、空調機２００に制御を当該制御指示に従った制御に変更させる。これが、第２修正制御である。
【００４０】
具体的には、空調機２００は、利用者からの制御指示を受け付けると当該制御指示をコントローラ１００に送信する。しかし、当該空調機２００（対象空調機２００）は、直ちに当該制御指示どおりの制御を実行しない。例えば、図７の例では、空調機２００を起動する制御指示の入力を受け付けても、当該空調機２００（対象空調機２００）は、電源をオンにするが、熱交換は開始せず、コントローラ１００からの指示を待つ。当該制御指示がコントローラ１００の通信部１３０により受信されると、通信部１３０から制御指示検出部１１２に信号が送られ、制御指示検出部１１２は当該制御指示を検出する。制御指示検出部１１２により制御指示が上述のとおり検出されると、タイマー１４０がセットされ、時計が開始される。タイマー１４０の時計が第１時間Ｐ１に達すると、空調制御部１１１は、対象空調機２００に当該制御指示どおりの制御を実行させる制御指示を生成し、対象空調機２００に通信部１３０を介して送信する。したがって、図７に示す通り、対象空調機２００は、熱交換を開始する。
【００４１】
第１記憶部１２１は、複数の空調機２００それぞれについて第１時間Ｐ１を記憶するから、第１時間Ｐ１が空調機２００それぞれについて異なるようにすることができる。第２修正制御では、例えば、朝に一斉に複数の空調機２００を起動した場合に、各空調機２００に時間をずらして空気調和運転を開始させ、デマンドの集中を抑えることができる。
【００４２】
（４−２−３）第３修正制御
第３修正制御は、図８に示す通り、上述の第１修正制御と第２修正制御の組み合わせである。第３修正制御では、空調機２００は、利用者からリモコン４００等を介して制御指示の入力を受け付けると当該制御指示どおりの制御を実行する。コントローラ１００の制御指示検出部１１２が、当該制御指示を検出すると、空調制御部１１１は、それから第２時間Ｐ２経過するまで、空調機２００にそのまま当該制御指示どおりの制御を継続させる。その後、空調制御部１１１は、空調機２００に制御を当該制御指示に従って変更する前の制御に戻させる。空調制御部１１１は、当該制御指示の検出から第１時間Ｐ１経過するまで、空調機２００に現在実行中の制御をそのまま継続させる。その後、空調制御部１１１は、空調機２００に制御を当該制御指示に従った制御に変更させる。例えば、図８に示されているように冷房運転中に設定温度を下げる制御指示が検出されると、当該指示どおりに設定温度を下げた制御が実行される。しかし、第２時間Ｐ２経過すると空調制御部１１１は、空調機２００に元の制御を実行させる。図８の例では、空調機２００の設定温度は、第２時間Ｐ２経過後、当該制御指示に応じて設定温度を下げる前の設定温度に戻される。そして、第１時間Ｐ１経過後、空調制御部１１１は、図８に示すとおり、空調機２００に当該指示どおりに設定温度を再び下げさせる。
【００４３】
第１記憶部１２１は、複数の空調機２００それぞれについて第１時間Ｐ１を記憶するから、第１時間Ｐ１が空調機２００それぞれについて異なるようにすることができる。第２記憶部１２２は、複数の空調機２００それぞれについて第２時間Ｐ２を記憶するから、第２時間Ｐ２が空調機２００それぞれについて異なるようにすることができる。第３修正制御では、このように一旦は利用者の不快感を和らげつつ、すぐに制御を元に戻し、各空調機２００に時間をずらして再び設定温度を下げて冷房運転をさせて、デマンドの集中を抑えることができる。
【００４４】
（４−３）制御フロー
次に本実施形態にかかる空調制御装置（コントローラ１００）が行う制御のフローについて図９を用いて説明する。なお、説明の便宜上、第１記憶部１２１、第２記憶部１２２、および、第３記憶部１２３に記憶されている各空調機２００の第１時間Ｐ１、第２時間Ｐ２、および、特定時間についての情報を表にまとめて表すと図１０のようになり、修正制御は上述の第３修正制御であると仮定して説明する。
【００４５】
ステップＳ１０１では、制御指示検出部１１２は、利用者からの制御指示を検出する。利用者がリモコン４００等を操作して、例えば、ＩＤが１番の空調機２００にむけて冷房運転の設定温度を１度下げる制御指示を入力すると、当該空調機２００（対象空調機２００）は、当該制御指示どおりの制御の実行を開始する。コントローラ１００の制御指示検出部１１２は、定期的に（例えば、１分おきに）、複数ある各空調機２００に制御状態についての情報を送るように要求する信号を通信部１３０を介して送信する。当該信号を受信した各空調機２００は、コントローラ１００に制御状態についての情報を送信する。対象空調機２００が送信した制御状態の情報がコントローラ１００の通信部１３０により受信されると、通信部１３０から制御指示検出部１１２に信号が送られる。各空調機２００の制御状態は、コントローラ１００の記憶部１２０に記憶されている。制御指示検出部１１２は、受信された対象空調機２００の制御状態が記憶部に１２０に記憶されている前回の受信時の制御状態と異なるので、対象空調機２００に対する当該制御指示を検出する。記憶部１２０に記憶されている対象空調機２００の制御状態は、元の制御状態として記憶部１２０において別途記憶される。そして、記憶部１２０に記憶されている対象空調機２００の制御状態は、今回受信された制御状態に上書き更新される。制御指示が検出されると制御は、ステップＳ１０２へ進む。
【００４６】
ステップＳ１０２では、現在時刻が特定時間帯内か否かが制御部１１０により判定される。記憶部１２０の第３記憶部１２３には、特定時間帯の開始時刻と終了時刻が記憶されている。制御部１１０は、これらの時刻を記憶部１２０から取得する。制御部１１０は、現在時刻が開始時刻と終了時刻の間であれば、特定時間帯内と判定し、そうでなければ、特定時間帯外と判定する。例えば、当該制御指示の対象空調機２００がＩＤが１の空調機２００であり、ＩＤが１の空調機２００の特定時間帯が図１０に示す通り１２：００から１６：００の間の時間帯であるとすると、現在時刻が１２：００の場合、現在時刻は特定時間帯内であると判定される。現在時刻が特定時間帯内と判定されれば、制御は、ステップＳ１０３へ進み、特定時間帯内でなければ、ステップＳ１０５へ進む。
【００４７】
ステップＳ１０３では、検出された制御指示が増エネ制御か否かが制御部１１０により判定される。本実施形態においては、図４に示すような情報が記憶部１２０に記憶されている。制御部１１０は、当該情報を参照することにより、制御指示が増エネ制御か否かを判定する。例えば、制御指示が冷房運転の設定温度を１度下げるという指示である場合は、増エネ制御であると判定される。制御指示が、増エネ制御であると判定されれば、制御は、ステップＳ１０４へ進み、増エネ制御でないと判定されれば、ステップＳ１０５へ進む。
【００４８】
ステップＳ１０４では、空調制御部１１１は、検出された制御指示の対象である対象空調機２００に対して修正制御を実行させる。例えば、上述の第３修正制御が実行される。例えば、当該制御指示がＩＤが１番の空調機２００に対して冷房運転の設定温度を１度下げるという指示である場合、空調制御部１１１は、第１記憶部１２１および第２記憶部１２２を参照し、ＩＤが１番の空調機２００の第１時間Ｐ１および第２時間Ｐ２を取得する（図１０の例では、それぞれ１０分と５分）。タイマー１４０がセットされ、時計が開始される。タイマー１４０の時計が第２時間Ｐ２である５分を経過したら、空調制御部１１１は、当該空調機２００に設定温度を１度上げるように制御指示を通信部１３０を介して送信する。そして、タイマー１４０の時計が第１時間Ｐ１である１０分を経過したら、空調制御部１１１は、当該空調機２００に設定温度を１度下げる制御指示を通信部１３０を介して送信する。
【００４９】
ステップＳ１０５では、空調制御部１１１は、検出された制御指示の対象である対象空調機２００に対して通常制御を実行させる。具体的には、本例のように対象空調機２００がすでに制御指示どおりの制御を開始していれば、空調制御部１１１は、対象空調機２００に対して当該制御を停止する制御指示を送信せず、対象空調機２００に現在実行中の制御を継続させる。そうではなく、対象空調機２００がまだ制御指示どおりの制御を開始していなければ、空調制御部１１１は、対象空調機２００に対して制御指示どおりの制御を実行させる制御指示を生成し通信部１３０を介して送信する。
【００５０】
（５）特徴
（５−１）
上記実施形態では、特定時間帯内においては、制御指示に従った通常制御のほか、制御指示とは異なる制御である修正制御を行うことができるようになっている。これにより、デマンドが集中しやすい時間帯を特定時間帯として設定しておけば、この特定時間帯に利用者から空調機２００に対する制御指示があっても制御指示どおりの制御は行わず、当該制御指示に修正をかけて制御指示とは異なる修正制御を行うことができるようになっている。したがって、デマンドを抑えることが可能であるとともに、快適性をなるべく損なわないようにすることが可能になっている。
【００５１】
（５−２）
上記実施形態では、修正制御は、次の３つの制御のいずれかである。すなわち、制御指示を検出してから空調機２００に一旦制御指示に従った制御を実行させるが、その後、元の制御に戻す第１修正制御、制御指示を検出してから所定の時間が経ってから制御指示どおりに空調機２００の制御を行う第２修正制御、あるいは、第１修正制御と第２修正制御を組み合わせた第３修正制御である。これにより、利用者の要望をなるべく制御に反映すること、および、複数の空調機２００の運転を時間をずらして行うことができている。したがって、デマンドの集中を防ぎつつ、利用者の要望を制御に反映して快適性をなるべく損なわないようにすることが可能になっている。
【００５２】
（５−３）
上記実施形態では、第１記憶部１２１は、複数の空調機２００それぞれについて第１時間Ｐ１を記憶する。すなわち、利用者からの制御指示を検出したときに、所定の時間Ｐ１が経ってから、制御指示に従った空調機２００の制御を開始する修正制御を行う場合、制御指示を検出してから制御指示に従った空調機２００の制御を開始するまでの時間Ｐ１は、空調機２００それぞれによって異なるようにすることが可能である。これにより、複数の空調機２００の運転を時間をずらして行うことができているほか、空調機２００の設置場所や使用方法に応じて制御を調節することができ、快適性をなるべく損なわないようにすることが可能になっている。
【００５３】
（５−４）
上記実施形態では、利用者からの制御指示が増エネ制御を指示するものでない場合は、常にその制御指示どおりの制御を行い、特定時間帯に増エネ制御を指示する制御指示が検出されたときのみ修正制御を行う。これにより、デマンドが集中しやすい時間帯にデマンドを抑えることが可能になっているとともに、デマンドが増加する心配がない場合は、利用者の要望どおりの制御を行い、快適性をなるべく損なわないようにすることが可能になっている。
【００５４】
（５−５）
上記実施形態では、空調機２００を起動する制御、空調機２００が冷房運転の時に空調機２００の設定温度を下げる制御、あるいは、空調機２００が暖房運転の時に空調機２００の設定温度を上げる制御を消費エネルギーが増加する増エネ制御と認識し、これらの制御の実行を指示する制御指示が検出されたときに、その時刻が特定時間帯内であれば修正制御を行うようになっている。これにより、デマンドが集中しやすい時間帯にデマンドを抑えることが可能になっているとともに、デマンドが増加する心配がない場合は、利用者の要望どおりの制御を行い、快適性をなるべく損なわないようにすることが可能になっている。
【００５５】
（６）変形例
（６−１）変形例１Ａ  その他の修正制御
上記実施形態の（４−３）制御フローにおいては、修正制御が、第３修正制御である前提で本実施形態にかかる空調制御装置（コントローラ１００）の制御フローを説明した。しかし、修正制御は、第１修正制御でも、第２修正制御でもよいし、これ以外の制御でもよい。また、第１修正制御、第２修正制御、および、第３修正制御等のいずれの制御を修正制御として実行するかは、利用者に選択させてもよいし、予め決められた制御に固定してもよい。
【００５６】
（６−２）変形例１Ｂ  マルチ型空調機
上記実施形態における空調機２００は、図２に示すとおり、室内機２０１ａと室外機２１０が１つずつのペア型であった。しかし、図１１に示すような複数の室内機２０１ｂ、２０１ｃ、２０１ｄが１つの室外機２１０を共有するマルチ型の空調機２００であってもよい。室内機２０１ｂ、２０１ｃ、２０１ｄは、それぞれ室内機２０１ａと同様に室内機制御部２６１ｂ、２６１ｃ、２６１ｄ、室内熱交換器２０４ｂ、２０４ｃ、２０４ｄ、および室内ファン２０５ｂ、２０５ｃ、２０５ｄ等を有する。この場合、利用者は、各室内機２０１ｂ、２０１ｃ、２０１ｄに対して制御指示を送ることになるから、コントローラ１００は、室内機２０１ｂ、２０１ｃ、２０１ｄのうち制御指示の対象である室内機２０１ｂ、２０１ｃ、２０１ｄについて通常制御あるいは修正制御を対象空調機２００に実行させる。したがって、この場合、図１０の表のＩＤは各室内機のＩＤであることになる。
【００５７】
（６−３）変形例１Ｃ  遠隔監視センター
図１２に示すように本発明にかかる空調制御装置（コントローラ１００）をインターネット等のネットワーク６００を介して遠隔に所在する遠隔監視センターの遠隔監視サーバ５００と接続してもよい。この実施形態では、空調機の運転及び操作履歴等の情報を遠隔監視サーバ５００に送信されるようにし、遠隔で空調機２００の稼働状況を監視できるほか、遠隔監視サーバ５００に送信された情報をさらにＷｅｂサーバを介してユーザーがパソコンや携帯端末等から閲覧可能にすることもできる。第２時間Ｐ２、第１時間Ｐ１、および、特定時間帯の入力をユーザーがパソコンや携帯端末等から行うこともできる。
【００５８】
（６−４）変形例１Ｄ  制御指示どおりの制御を一旦実行後、元の制御に戻す時機
上記実施形態においては、修正制御において、制御指示どおりの制御を一旦実行後、元の制御に戻す時機は、第２時間Ｐ２の経過時であった。しかし、他の実施形態においては、他の所定の条件が成就した時でもよい。例えば、制御指示検出部１１２が制御指示を検出した時に直ちに対象空調機２００の制御を元の制御に戻してもよい。
【００５９】
具体的には、上記実施形態と同様に制御指示が制御指示検出部１１２により検出されると、現在時刻が特定時間帯内であり、かつ、制御指示が増エネ制御か否かが判定される。制御指示が検出される仕組みは、上記実施形態と同じである。現在時刻が特定時間帯内であり、かつ、制御指示が増エネ制御であると判定されると、空調制御部１１１は、当該制御指示の対象空調機２００の制御を元に戻す制御指示を生成する。対象空調機２００の元の制御についての情報は、記憶部１２０に記憶されているので、この情報が空調制御部１１１により参照される。空調制御部１１１により生成された制御指示は、通信部１３０を介して対象空調機２００に送信される。これで、対象空調機２００の制御は元の制御に戻される。
【００６０】
（６−５）変形例１Ｅ  第１時間Ｐ１の動的変更
上記実施形態においては、第１時間Ｐ１は、当該時間の入力が第１時間受付部１１４により受け付けられないかぎり変更されなかった。しかし、他の実施形態においては、電力量をコントローラ１００に読み込ませ、電力情報に応じて、第１時間Ｐ１を動的に変更しても良い。
【００６１】
なお、本実施形態は、例示であって本発明の範囲を制限するものではない。
【産業上の利用可能性】
【００６２】
本発明にかかる空調制御装置は、なるべくデマンドが集中しないように複数の空調機を制御するために利用可能である。
【符号の説明】
【００６３】
１００ コントローラ（空調制御装置）
１１０ 制御部
１１１ 空調制御部
１１２ 制御指示検出部
１１３ 特定時間帯受付部
１１４ 第１時間受付部
１２０ 記憶部
１２１ 第１記憶部
１２３ 第３記憶部
２００ 空調機
４００ リモコン
Ｐ１ 第１時間
Ｐ２ 第２時間
【先行技術文献】
【特許文献】
【００６４】
【特許文献１】特開２００４−１１６９７２号公報
【図１】
2011257067.tif 000003
【図２】
2011257067.tif 000004
【図３】
2011257067.tif 000005
【図４】
2011257067.tif 000006
【図５】
2011257067.tif 000007
【図６】
2011257067.tif 000008
【図７】
2011257067.tif 000009
【図８】
2011257067.tif 000010
【図９】
2011257067.tif 000011
【図１０】
2011257067.tif 000012
【図１１】
2011257067.tif 000013
【図１２】
2011257067.tif 000014